(57)【要約】【課題】薬袋の表裏のいずれにも情報記載が行えるとともに、薬袋の表裏のいずれからでも収容した薬を見て確認できるようにし、また薬袋の内方を区分してそれぞれの収納部分が外方から直接見えるようにし、取り扱いが容易な薬袋を得る。【解決手段】薬袋１を、連接した封筒表紙２と封筒中紙４と封筒裏紙３とが、封筒中紙４が内方となるようにして折り重ねられ、折り重ねにより対向する三紙片２，４，３の側辺と底辺とを貼り合わせて、封筒中紙４により内方が仕切られた上部開放の封筒型とし、少なくとも封筒表紙２と封筒裏紙３とに、開口８を透明フィルム９にて覆ってなる窓７を設け、窓７それぞれを封筒底部に近接した位置に配置した。【選択図】　　図１
2004090991.tif 000002
【特許請求の範囲】
【請求項１】
折り部を介して連接した封筒表紙と封筒中紙と封筒裏紙との三紙片が、前記封筒中紙が内方となるようにして折り重ねられ、この折り重ねにより対向する前記三紙片の側辺と底辺とを貼り合わせて、封筒中紙により内方が仕切られた上部開放の封筒型とした薬袋であって、少なくとも封筒表紙と封筒裏紙とに、開口を透明フィルムにて覆ってなる窓が設けられ、前記窓それぞれが封筒底部に近接した位置に配置されていることを特徴とする薬袋。
【発明の詳細な説明】
【０００１】
【発明の属する技術分野】
本発明は薬などを収容する薬袋に関するものである。
【０００２】
【発明が解決しようとする課題】
従来、病院などにおいて患者側に提供される治療薬（内服薬、貼り薬、塗り薬など）は、上部が開放された封筒型の薬袋に収容して手渡すようにしており、受け渡しの際には収容した薬の種類、服用方法などの説明を口頭にて伝えるとともに、収容した薬の種類、服用方法などの情報をその薬袋の封筒表紙に記載するようにしていた。
しかしながら、従来から用いられている薬袋は全体が紙材からなるものであるため、薬袋内に入れた薬を外方から確認することができず、封筒上部から覗いたり、薬を外部に出して確認するなどの手間を要している。
【０００３】
この対策として、薬袋全体を透明フィルムにて構成することが考えられるが、上述したように内部に入れる薬の種類や服用方法などの情報を記載する必要があることから、筆記性に極めて乏しい透明フィルムから薬袋を作成することができなかった。また、薬袋の裏面側を透明フィルムとしたものが提案されているが、透明フィルム側からしか収容物を確認できず、封筒表紙側の記載情報と収容物を確認する都度、この薬袋の表裏を返す必要があって、収容した薬を確認するに際してはやはり手間の要するものとなっていた。
また、主たる治療薬による二次的な身体反応を抑える薬（胃薬や整腸薬など）もその主たる治療着に併せて提供されており、よって薬袋に多種の薬を収納して提供されることが一般的である。そのため、薬を収容した薬袋の内側では多種の薬が混在する度合いが高く、目的とする薬を探し出すのに手間取るという不都合も生じている。
そこで本発明は上記事情に鑑み、薬袋の表裏のいずれにも情報記載が行えるとともに、薬袋の表裏のいずれからでも収容した薬を見て確認できるようにし、さらに薬袋の内方を区分してそれぞれの収納部分が外方から直接見えるようにすることを課題とし、取り扱いが容易な薬袋を得ることを目的とする。
【０００４】
【課題を解決するための手段】
本発明は上記課題を考慮してなされたもので、折り部を介して連接した封筒表紙と封筒中紙と封筒裏紙との三紙片が、前記封筒中紙が内方となるようにして折り重ねられ、この折り重ねにより対向する前記三紙片の側辺と底辺とを貼り合わせて、封筒中紙により内方が仕切られた上部開放の封筒型とした薬袋であって、少なくとも封筒表紙と封筒裏紙とに、開口を透明フィルムにて覆ってなる窓が設けられ、前記窓それぞれが封筒底部に近接した位置に配置されていることを特徴とする薬袋を提供して、上記課題を解消するものである。
【０００５】
【発明の実施の形態】
つぎに本発明を図１から図５に示す実施の形態に基づいて詳細に説明する。
図中１は薬袋で、該薬袋１は図１、２に示されているように、封筒表紙２と封筒裏紙３とを封筒外形紙として上部開放した封筒型の形態を呈しており、内部に一枚の封筒中紙４を位置させて薬袋１の収納空間が二つに仕切られている。
この薬袋１は、図３において展開状態として示す薬袋用フォーム５からなるものであり、この薬袋用フォーム５は折り部６を介して上記封筒表紙２、封筒中紙４、封筒裏紙３が順に横一連にして連接されている。そして、封筒中紙４が内方となるようにして薬袋用フォーム５をＺ状に折り畳んで三紙片２、４、３を重ね、この折り重ねにより対向する三紙片２、４、３の側辺と底辺とを貼り合わせている。即ち、封筒表紙２と封筒中紙４とではその間の折り部６側と上辺とを除く側辺と底辺とに接着剤Ｓを塗布し、また、封筒中紙４と封筒裏紙３とではその間の折り部６側と上辺とを除く側辺と底辺とに接着剤Ｓを塗布していて、この接着剤Ｓを介して対向辺部を貼り合わせて、上部開放の封筒型の薬袋１とし、その薬袋１の収納空間を封筒中紙４によって二つに仕切っている。
このように薬袋１では収納空間が二つに仕切られているため、多種の薬が収納された場合、薬の種類を二つに大別して収納することができ、収納した薬の混在度合いを大きく低減することができるようにしている。
【０００６】
さらに薬袋１では、封筒表紙２と封筒裏紙３との二紙片それぞれに封筒底部に近接した位置にして窓７が配置され、封筒表紙２側の窓７を通してその封筒表紙２側の収納空間の封筒底に位置する薬を見ることができ、また、封筒裏紙３側の窓７を通してその封筒表紙２側の収納空間の封筒底に位置する薬を見ることができ、それぞれ封筒上部側から覗き込むことなく、窓７を通して薬を確認できるようにしている。
各窓７は、封筒表紙２、封筒裏紙３それぞれの下辺に寄った位置に開口８を設け、この開口８より大寸とした透明フィルム９を封筒内方側から窓貼りして開口８を覆ってなるものである。
【０００７】
この薬袋１において、封筒表紙２と封筒裏紙３との表面それぞれは筆記性、インキ受領性を備えている。そして、封筒表紙２の表面には窓７より上方の領域に、飲み薬などのタイトルや病院名などの固定情報を印刷した表示が設けられているとともに、薬袋１に収容した薬の名前や数量、服用方法などの可変情報を記載できるようにした可変情報記入部１０が設けられている。また、封筒裏紙３の表面には窓７より上方の領域に、薬に対する取り扱い注意事項などの固定情報を印刷した表示が設けられている。
このように封筒表紙２や封筒下紙３に情報が表示されるようにしているため、窓７から見える薬と前記情報とで、収納空間内の薬に関する情報を簡単に確認することができるものとなっている。
【０００８】
上記実施の形態では、封筒表紙２と封筒裏紙３との二紙片それぞれのみに窓７を設けたが、本発明はこれに限定されるものではない。図４，５はその他における薬袋用フォーム５を示していて、封筒表紙２から封筒中紙４に跨る開口８と封筒中紙４から封筒裏紙３に跨る開口８とを設け、これらの開口８を透明フィルム９にて窓貼りしたものとしており、この薬袋用フォーム５から、封筒中紙４は、封筒表紙２の窓７に重なる位置とした一方の窓７と封筒裏紙３の窓７に重なる位置とした他方の窓７とを有するものとなり、封筒表紙２の窓７や封筒裏紙３の窓７から二つの収納空間に収めた薬を共に見ることができる薬袋１を得ている。
【０００９】
【発明の効果】
以上説明したように本発明によれば、折り部を介して連接した封筒表紙と封筒中紙と封筒裏紙との三紙片が、前記封筒中紙が内方となるようにして折り重ねられ、この折り重ねにより対向する前記三紙片の側辺と底辺とを貼り合わせて、封筒中紙により内方が仕切られた上部開放の封筒型とした薬袋であって、少なくとも封筒表紙と封筒裏紙とに、開口を透明フィルムにて覆ってなる窓が設けられ、前記窓それぞれが封筒底部に近接した位置に配置されていることを特徴とするものである。
これによって、封筒表紙と封筒裏紙との窓を通して個々の収納空間を見ることができ、薬袋の表裏を返す手間なく薬の確認が窓を通して直接に行える。そして、封筒表紙や封筒裏紙に記載された情報と薬との突き合わせも、その薬を薬袋から取り出すことなく行え、薬袋内に収容した薬の管理を、手で薬に触れることなく行えるようになる。さらに薬袋の収納空間が二つに仕切られているため、多種の薬を二つに大別して収納することができ、多種の薬の混在度合いを低減して、薬の確認を容易にすることができるなど、実用性に優れた効果を奏するものである。
【図面の簡単な説明】
【図１】本発明に係る薬袋の一例を封筒表紙側において一部切り欠いて示す説明図である。
【図２】同じく一例を封筒裏紙側において一部切り欠いて示す説明図である。
【図３】薬袋の一例の薬袋用フォームを示す説明図である。
【図４】他の例を示す説明図である。
【図５】他の例における薬袋用フォームの片面を示す説明図である。
【符号の説明】
１…薬袋
２…封筒表紙
３…封筒裏紙
４…封筒中紙
５…薬袋用フォーム
６…折り部
７…窓
８…開口
９…透明フィルム
【図１】
2004090991.tif 000003
【図２】
2004090991.tif 000004
【図３】
2004090991.tif 000005
【図４】
2004090991.tif 000006
【図５】
2004090991.tif 000007